(57)【特許請求の範囲】
【請求項１】
被画像形成材に画像を形成する本体装置であって、
外形を構成し、側面を有するケース部材と、
被画像形成材を収容すると共に、前記ケース部材に挿脱可能に取り付けられる収容部と、
第１電圧の電力を供給可能な主電源部と、
前記主電源部から前記第１電圧の電力の供給を受けて駆動し、被画像形成材に画像を形成する画像形成部と、
前記画像形成部により画像が形成された被画像形成材を前記ケース部材の外部に排出させる本体側排出部と、
前記収容部に収容された被画像形成材を前記画像形成部に搬送すると共に、前記画像形成部により画像が形成された被画像形成材を前記本体側排出部に搬送する本体側搬送部と、を有する本体装置と、
前記本体装置に取り付けられる中継ユニットであって、
前記本体側排出部に対向して配置される中継ユニット側搬入部と、
前記中継ユニット側搬入部から搬入された被画像形成材を該中継ユニットの外部に搬出させる中継ユニット側搬出部と、
前記第１電圧とは異なる第２電圧の電力の供給を受けて駆動し、前記中継ユニット側搬入部から搬入された被画像形成材を前記中継ユニット側搬出部に搬送する中継ユニット側搬送部と、
前記第２電圧の電力の供給を受ける中継ユニット側コネクタと、を有する中継ユニットと、
前記本体装置に取り付けられる後処理装置であって、
壁部と、前記壁部から水平方向に延出した水平支持台部と、を有し、前記壁部が前記側面に面接触した状態で前記本体装置に連結される枠体と、
前記枠体の前記水平支持台部に取り付けられ、前記主電源部から前記第１電圧の電力の供給を受けると共に、供給された電力を変圧処理して出力する変圧部と、
前記枠体の前記水平支持台部に装脱可能に載置される後処理ユニットであって、前記中継ユニット側搬出部に対向して配置される後処理ユニット側搬入部と、前記後処理ユニット側搬入部から搬入された被画像形成材を該後処理ユニットの外部に排出させる後処理ユニット側排出部と、前記第２電圧又は、前記第１電圧とは異なる第３電圧の電力の供給を受けて駆動し前記中継ユニット側搬入部から搬入された被画像形成材に対して所定の後処理を行うと共に、該後処理された被画像形成材を前記後処理ユニット側排出部に搬送する後処理部と、
前記第２電圧又は前記第３電圧の電力の供給を受ける後処理ユニット側コネクタと、
を有する後処理ユニットと、
前記枠体の前記壁部に設けられ、前記変圧部と電気的に接続されると共に、前記中継ユニット側コネクタと連結される第１コネクタと、
前記変圧部に電気的に接続されると共に、前記後処理ユニット側コネクタと連結される第２コネクタと、を有する後処理装置と、を備える
画像形成装置。
【請求項２】
前記第２コネクタは、前記変圧部に設けられており、前記枠体は、前記第１コネクタ及び前記変圧部が前記枠体に組み付けられた状態で、前記本体装置に取り付け可能な請求項１に記載の画像形成装置。
【請求項３】
前記中継ユニット側コネクタは、
前記中継ユニット側搬出部の近傍に、水平方向に伸びるように配置され、
前記第１コネクタは、
前記枠体における本体装置側の面に、水平方向に伸びるように配置される
請求項１に記載の画像形成装置。
【請求項４】
前記枠体は、前記本体装置に取り付ける場合には、水平方向に移動され、
前記中継ユニット側コネクタの接続部は水平方向を向いて配置され、
前記第１コネクタの接続部は水平方向を向いて配置され、
前記後処理ユニットは、前記枠体に取り付けられる場合には、垂直方向に移動され、
前記後処理ユニット側コネクタの接続部は垂直方向を向いて配置され、
前記第２コネクタの接続部は垂直方向を向いて配置される
請求項２に記載の画像形成装置。
【請求項５】
被画像形成材に画像を形成する本体装置であって、外形を構成し、側面を有するケース部材と、被画像形成材を収容すると共に前記ケース部材に挿脱可能に取り付けられる収容部と、第１電圧の電力を供給可能な主電源部と、前記主電源部から前記第１電圧の電力の供給を受けて駆動し被画像形成材に画像を形成する画像形成部と、前記画像形成部により画像が形成された被画像形成材を前記ケース部材の外部に排出させる本体側排出部と、前記収容部に収容された被画像形成材を前記画像形成部に搬送すると共に前記画像形成部により画像が形成された被画像形成材を前記本体側排出部に搬送する本体側搬送部と、を有する本体装置と、前記本体装置に取り付けられる中継ユニットであって、前記本体側排出部に対向して配置される中継ユニット側搬入部と、前記中継ユニット側搬入部から搬入された被画像形成材を該中継ユニットの外部に搬出させる中継ユニット側搬出部と、前記第１電圧とは異なる第２電圧の電力の供給を受けて駆動し前記中継ユニット側搬入部から搬入された被画像形成材を前記中継ユニット側搬出部に搬送する中継ユニット側搬送部と、前記第２電圧の電力の供給を受ける中継ユニット側コネクタと、を有する中継ユニットと、前記本体装置に取り付けられる後処理装置と、を有する画像形成装置における後処理装置であって、
壁部と、前記壁部から水平方向に延出した水平支持台部と、を有し、前記壁部が前記側面に面接触した状態で前記本体装置に連結される枠体と、
前記枠体の前記水平支持台部に取り付けられ、前記主電源部から前記第１電圧の電力の供給を受けると共に、供給された電力を変圧処理して出力する変圧部と、
前記枠体の前記水平支持台部に装脱可能に載置される後処理ユニットであって、前記中継ユニット側搬出部に対向して配置される後処理ユニット側搬入部と、前記後処理ユニット側搬入部から搬入された被画像形成材を該後処理ユニットの外部に排出させる後処理ユニット側排出部と、前記第２電圧又は、前記第１電圧とは異なる第３電圧の電力の供給を受けて駆動し前記中継ユニット側搬入部から搬入された被画像形成材に対して所定の後処理を行うと共に、該後処理された被画像形成材を前記後処理ユニット側排出部に搬送する後処理部と、前記第２電圧又は前記第３電圧の電力の供給を受ける後処理ユニット側コネクタと、を有する後処理ユニットと、
前記枠体の前記壁部に設けられ、前記変圧部と電気的に接続されると共に、前記中継ユニット側コネクタと連結される第１コネクタと、
前記変圧部に電気的に接続されると共に、前記後処理ユニット側コネクタと連結される第２コネクタと、を備える
後処理装置。
【発明の詳細な説明】
【技術分野】
【０００１】
本発明は、画像形成装置及び後処理装置に関する。
【背景技術】
【０００２】
従来、画像形成装置は、画像形成装置本体だけでなく、後処理装置を有するタイプが存在する。このタイプの画像形成装置は、画像形成装置本体に（オプションの）後処理装置を連結して構成される。
そして、画像形成装置本体に形成される用紙排出部の位置によっては、画像形成装置は、画像形成装置の用紙排出部と後処理装置の搬入部とをつなぐ中継ユニットを有する場合がある（例えば、特許文献１参照）。
【先行技術文献】
【特許文献】
【０００３】
【特許文献１】特開２００１−１３７５１号公報
【発明の概要】
【発明が解決しようとする課題】
【０００４】
しかし、特許文献１において、中継ユニットや後処理装置は、画像形成装置本体から電力の供給を受けている。
この場合、画像形成装置本体は、中継ユニットや後処理装置に内蔵されるモータ等の駆動部に用いられる電圧に変圧するための変圧器を有する必要がある。
ここで、中継ユニットや後処理装置は、オプションであるため、必ずしも画像形成装置本体に連結されるわけではない。
このため、画像形成装置本体に変圧器が配置される場合、画像形成装置本体の価格が必要以上に高くなってしまう場合があった。
【０００５】
本発明は、画像形成装置本体と、中継ユニットと、後処理装置とを有する画像形成装置であって、画像形成装置本体から供給される電力を中継ユニットや後処理装置の駆動に必要な所定の電圧に変圧処理する変圧部が後処理装置側に配置された画像形成装置を提供することを目的とする。
また、本発明は、画像形成装置本体から供給される電力を中継ユニットや後処理装置の駆動に必要な所定の電圧に変圧処理する変圧部を有した後処理装置を提供することを目的とする。
【課題を解決するための手段】
【０００６】
本発明は、被画像形成材に画像を形成する本体装置であって、外形を構成するケース部材と、被画像形成材を収容すると共に、前記ケース部材に挿脱可能に取り付けられる収容部と、第１電圧の電力を供給可能な主電源部と、前記主電源部から前記第１電圧の電力の供給を受けて駆動し、被画像形成材に画像を形成する画像形成部と、前記画像形成部により画像が形成された被画像形成材を前記ケース部材の外部に排出させる本体側排出部と、前記収容部に収容された被画像形成材を前記画像形成部に搬送すると共に、前記画像形成部により画像が形成された被画像形成材を前記本体側排出部に搬送する本体側搬送部と、を有する本体装置と、前記本体装置に取り付けられる中継ユニットであって、前記本体側排出部に対向して配置される中継ユニット側搬入部と、前記中継ユニット側搬入部から搬入された被画像形成材を該中継ユニットの外部に搬出させる中継ユニット側搬出部と、前記第１電圧とは異なる第２電圧の電力の供給を受けて駆動し、前記中継ユニット側搬入部から搬入された被画像形成材を前記中継ユニット側搬出部に搬送する中継ユニット側搬送部と、前記第２電圧の電力の供給を受ける中継ユニット側コネクタと、を有する中継ユニットと、前記本体装置に取り付けられる後処理装置であって、前記本体装置に連結される枠体と、前記枠体に取り付けられ、前記主電源部から前記第１電圧の電力の供給を受けると共に、供給された電力を変圧処理して出力する変圧部と、前記枠体に装脱可能に取り付けられる後処理ユニットであって、前記中継ユニット側搬出部に対向して配置される後処理ユニット側搬入部と、前記後処理ユニット側搬入部から搬入された被画像形成材を該後処理ユニットの外部に排出させる後処理ユニット側排出部と、前記第２電圧又は、前記第１電圧とは異なる第３電圧の電力の供給を受けて駆動し前記中継ユニット側搬入部から搬入された被画像形成材に対して所定の後処理を行うと共に、該後処理された被画像形成材を前記後処理ユニット側排出部に搬送する後処理部と、前記第２電圧又は前記第３電圧の電力の供給を受ける後処理ユニット側コネクタと、を有する後処理ユニットと、前記変圧部と電気的に接続されると共に、前記中継ユニット側コネクタと連結される第１コネクタと、前記変圧部に電気的に接続されると共に、前記後処理ユニット側コネクタと連結される第２コネクタと、を有する後処理装置と、を備える画像形成装置に関する。
【０００７】
上記に記載の画像形成装置において、前記中継ユニット側コネクタは、前記中継ユニット側搬出部の近傍に、水平方向に伸びるように配置され、前記第１コネクタは、前記枠体における本体装置側の面に、水平方向に伸びるように配置されることが好ましい。
【０００８】
上記に記載の画像形成装置において、前記枠体は、前記本体装置に取り付ける場合には、水平方向に移動され、前記中継ユニット側コネクタの接続部は水平方向を向いて配置され、前記第１コネクタの接続部は水平方向を向いて配置され、前記後処理ユニットは、前記枠体に取り付けられる場合には、垂直方向に移動され、前記後処理ユニット側コネクタの接続部は垂直方向を向いて配置され、前記第２コネクタの接続部は垂直方向を向いて配置されることが好ましい。
【０００９】
本発明は、被画像形成材に画像を形成する本体装置であって、外形を構成するケース部材と、被画像形成材を収容すると共に前記ケース部材に挿脱可能に取り付けられる収容部と、第１電圧の電力を供給可能な主電源部と、前記主電源部から前記第１電圧の電力の供給を受けて駆動し被画像形成材に画像を形成する画像形成部と、前記画像形成部により画像が形成された被画像形成材を前記ケース部材の外部に排出させる本体側排出部と、前記収容部に収容された被画像形成材を前記画像形成部に搬送すると共に前記画像形成部により画像が形成された被画像形成材を前記本体側排出部に搬送する本体側搬送部と、を有する本体装置と、前記本体装置に取り付けられる中継ユニットであって、前記本体側排出部に対向して配置される中継ユニット側搬入部と、前記中継ユニット側搬入部から搬入された被画像形成材を該中継ユニットの外部に搬出させる中継ユニット側搬出部と、前記第１電圧とは異なる第２電圧の電力の供給を受けて駆動し前記中継ユニット側搬入部から搬入された被画像形成材を前記中継ユニット側搬出部に搬送する中継ユニット側搬送部と、前記第２電圧の電力の供給を受ける中継ユニット側コネクタと、を有する中継ユニットと、前記本体装置に取り付けられる後処理装置と、を有する画像形成装置における後処理装置であって、前記本体装置に連結される枠体と、前記枠体に取り付けられ、前記主電源部から前記第１電圧の電力の供給を受けると共に、供給された電力を変圧処理して出力する変圧部と、前記枠体に装脱可能に取り付けられる後処理ユニットであって、前記中継ユニット側搬出部に対向して配置される後処理ユニット側搬入部と、前記後処理ユニット側搬入部から搬入された被画像形成材を該後処理ユニットの外部に排出させる後処理ユニット側排出部と、前記第２電圧又は、前記第１電圧とは異なる第３電圧の電力の供給を受けて駆動し前記中継ユニット側搬入部から搬入された被画像形成材に対して所定の後処理を行うと共に、該後処理された被画像形成材を前記後処理ユニット側排出部に搬送する後処理部と、前記第２電圧又は前記第３電圧の電力の供給を受ける後処理ユニット側コネクタと、を有する後処理ユニットと、前記変圧部と電気的に接続されると共に、前記中継ユニット側コネクタと連結される第１コネクタと、前記変圧部に電気的に接続されると共に、前記後処理ユニット側コネクタと連結される第２コネクタと、を備える後処理装置に関する。
【発明の効果】
【００１０】
本発明によれば、画像形成装置本体と、中継ユニットと、後処理装置とを有する画像形成装置であって、画像形成装置本体から供給される電力を中継ユニットや後処理装置の駆動に必要な所定の電圧に変圧処理する変圧部が後処理装置側に配置された画像形成装置を提供することができる。
また、本発明によれば、画像形成装置本体から供給される電力を中継ユニットや後処理装置の駆動に必要な所定の電圧に変圧処理する変圧部を有した後処理装置を提供することができる。
【図面の簡単な説明】
【００１１】
【図１】本発明に係る画像形成装置の一実施形態としてのコピー機１の外観斜視図である。
【図２】図１のコピー機１を構成する本体装置Ｍと、オプションで組み付けられる中継ユニット及び後処理装置を示す分解斜視図である。
【図３】図１のコピー機１における各構成要素の配置を説明するための図である。
【図４】本体装置Ｍに挿脱可能に装着される中継ユニット５００の左側面側上方から視た斜視図である。
【図５】本体装置Ｍに装着される後処理装置６００を構成する枠体６１０と該枠体６１０に固定された変圧部６２０の斜視図である。
【図６】本体装置Ｍに装着される後処理装置６００を構成する後処理ユニット６３０の右側面側下方から視た斜視図である。
【図７Ａ】本体装置Ｍに装着する前の中継ユニット５００及び枠体６１０及び後処理ユニット６３０の本体装置Ｍに対する取り付け向きを示す斜視図である。
【図７Ｂ】本体装置Ｍに中継ユニット５００が装着された状態の斜視図である。
【図７Ｃ】本体装置Ｍに後処理装置６００の枠体６１０が固定された状態の斜視図である。
【図７Ｄ】本体装置Ｍに固定されている枠体６１０に後処理ユニット６３０が取り付けられた状態の斜視図である。
【発明を実施するための形態】
【００１２】
以下、図面を参照して、本発明の画像形成装置の実施形態を説明する。
図１は、本発明に係る画像形成装置の一実施形態としてのコピー機１の外観斜視図である。図２は、図１のコピー機１を構成する本体装置Ｍと、オプションで組み付けられる中継ユニット及び後処理装置を示す分解斜視図である。また、図２における点線で囲まれた部分は、コピー機１の背面側に配置された主電源部４００及び第１電圧出力コネクタ４１０を示す図である。
【００１３】
図１及び図２に示すように、本発明の一実施形態としてのコピー機１は、本体装置Ｍと、本体装置Ｍの上部に組みつけられた画像読取装置３００と、本体装置Ｍに取り付けられる中継ユニット５００と、本体装置Ｍに取り付けられる後処理装置６００とを備える。
ここで、図２に示すように、中継ユニット５００及び後処理装置６００は、オプションとして本体装置Ｍに取り付けられる。
【００１４】
また、図２に示すように、本体装置Ｍは、左側面の後面側の位置に組み込まれる主電源部４００を有する。この主電源部４００は、本体装置Ｍ内に標準装備される各種の駆動部や画像読取装置３００に対して給電を行う。また、主電源部４００は、後述の変圧部６２０に対して第１電圧の電力を供給可能な第１電圧出力コネクタ４１０を有している。後述の変圧部６２０は、第１電圧出力コネクタ４１０から供給された電力を第２電圧又は第３電圧に変圧して、オプションにより本体装置Ｍに装備される中継ユニット５００や後処理装置６００に変圧された電力を供給する手段である。
中継ユニット５００及び後処理装置６００の構成や、中継ユニット５００及び後処理装置６００への給電については、本体装置Ｍの説明の後に、詳述する。
【００１５】
図１に示すように、画像読取装置３００は、コピー機１における垂直方向Ｚの上端部に配置される。画像読取装置３００は、原稿の画像を読み取ると共に、読み取った画像に関する情報である画像情報を本体装置Ｍ（画像形成部）に出力する。
【００１６】
本体装置Ｍは、画像読取装置３００から送られる画像情報に基づいてシート状の被画像形成材としての用紙Ｔにトナー画像を形成する。
【００１７】
なお、コピー機１の説明において、図２に示す副走査方向Ｘをコピー機１の「左右方向」ともいい、副走査方向Ｘに直交する主走査方向Ｙ（図２参照）をコピー機１の「前後方向」ともいう。コピー機１の垂直方向Ｚは、副走査方向Ｘ及び主走査方向Ｙと直交する。
【００１８】
まず、図３により、画像読取装置３００について説明する。
図３は、図１のコピー機１における各構成要素の配置を説明するための図である。
図３に示すように、画像読取装置３００は、原稿Ｇの画像を読み取る読取部３０１と、読取部３０１の上方側に配置され読取部３０１に原稿Ｇを搬送する原稿搬送部７０と、を備える。
【００１９】
読取部３０１は、筐体３０６と、筐体３０６の上方側に配置される第１読取面３０２Ａ及び第２読取面３０２Ｂと、を備える。また、読取部３０１は、筐体３０６の内部空間３０４に、光源を含む照明部３４０と、複数のミラー３２１、３２２及び３２３と、副走査方向Ｘに移動する第１枠体３１１及び第２枠体３１２と、結像レンズ３５７と、読取手段としてのＣＣＤ３５８と、ＣＣＤ３５８により読み取られた画像情報に対して所定の処理をすると共に該画像情報を本体装置Ｍ側に出力させるＣＣＤ基板３６１と、を備える。照明部３４０及び第１ミラー３２１は、第１枠体３１１に収容される。第２ミラー３２２及び第３ミラー３２３は、第２枠体３１２に収容される。
【００２０】
原稿搬送部７０は、読取部３０１に対して不図示の連結部により開閉可能に連結されている。原稿搬送部７０は、上方側に原稿載置部７１を有し、内部に送りローラ（図示せず）を有する。原稿搬送部７０は、読取部３０１の第１読取面３０２Ａ及び第２読取面３０２Ｂを保護する機能を有する。
【００２１】
第１読取面３０２Ａは、原稿搬送部７０により搬送される原稿Ｇを読み取る場合に用いられる読取面である。第１読取面３０２Ａは、原稿Ｇが搬送される第１コンタクトガラス３３５Ａの上面に沿って形成される。第１読取面３０２Ａは、筐体３０６における左側面近傍に位置する。なお、図１に示すこの位置を「第１読取位置」ともいう。
【００２２】
第２読取面３０２Ｂは、原稿搬送部７０を用いずに原稿Ｇを読み取る場合に用いられる読取面である。第２読取面３０２Ｂは、原稿Ｇが載置される第２コンタクトガラス３３５Ｂの上面に沿って形成される。第２読取面３０２Ｂは、第１読取面３０２Ａよりも右側であって、読取部３０１における副走査方向Ｘの大部分に亘っている。
第１読取面３０２Ａ及び第２読取面３０２Ｂは、副走査方向Ｘ及び主走査方向Ｙと直交する方向に拡がる。
【００２３】
原稿搬送部７０により搬送される原稿Ｇを読み取る場合、原稿Ｇは、原稿載置部７１に載置される。原稿載置部７１に載置された原稿Ｇは、原稿搬送部７０の内部に設けられた前記送りローラにより、読取部３０１の第１読取面３０２Ａへ搬送される。この場合、第１枠体３１１及び第２枠体３１２は、前記第１読取位置に配置され、移動しない。そして、原稿搬送部７０により原稿Ｇが第１読取面３０２Ａの上をスライドするように搬送されることで、ＣＣＤ３５８により、原稿Ｇの表面に形成された画像が読み取られる。
【００２４】
また、原稿搬送部７０が開状態の場合、原稿Ｇは、第２読取面３０２Ｂに載置される。この場合、第１枠体３１１及び第２枠体３１２それぞれは、後述する光路Ｈの長さ（光路長）を一定に保持しながら副走査方向Ｘに移動する。これにより、第２読取面３０２Ｂに載置された原稿Ｇの画像が読み取られる。
【００２５】
筐体３０６の内部空間３０４において、複数のミラー３２１、３２２及び３２３は、原稿Ｇからの光を結像レンズ３５７に入光させるための光路Ｈを形成する。また、第１枠体３１１が副走査方向Ｘに一定速度Ａで移動すると共に、第２枠体３１２が副走査方向Ｘに一定速度Ａ／２で移動するため、画像読み取り動作時においても、光路Ｈの長さは一定に維持される。
【００２６】
次に、図３により、本体装置Ｍの各部について説明する。
本体装置Ｍは、画像読取装置３００から送られる画像情報に基づいてシート状の被画像形成材としての用紙Ｔに所定のトナー画像を形成する画像形成部ＧＫと、用紙Ｔを画像形成部ＧＫに給紙すると共にトナー画像が形成された用紙Ｔを排紙する給排紙部ＫＨとを有する。
本体装置Ｍにおける外形は、筐体としてのケース部材ＢＤにより構成される。
【００２７】
図３に示すように、画像形成部ＧＫは、像担持体（感光体）としての感光体ドラム２ａ、２ｂ、２ｃ、２ｄと、帯電部１０ａ、１０ｂ、１０ｃ、１０ｄと、露光ユニットとしてのレーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラ３７ａ、３７ｂ、３７ｃ、３７ｄと、２次転写ローラ８と、対向ローラ１８と、定着部９と、を備える。
【００２８】
図３に示すように、給排紙部ＫＨは、給紙カセット５２と、手差し給紙部６４と、用紙Ｔの搬送路Ｌと、レジストローラ対８０と、第１排紙部５０ａと、第２排紙部５０ｂとを備える。なお、搬送路Ｌは、後述するように、第１搬送路Ｌ１と、第２搬送路Ｌ２と、第３搬送路Ｌ３と、手差し搬送路Ｌａと、戻り搬送路Ｌｂと、第４搬送路Ｌ４との集合体である。
【００２９】
以下、図３により、画像形成部ＧＫ及び給排紙部ＫＨの各構成について、詳細に説明する。
まず、画像形成部ＧＫについて説明する。
画像形成部ＧＫにおいては、感光体ドラム２ａ、２ｂ、２ｃ、２ｄそれぞれの表面に沿って順に、上流側から下流側に順に、帯電部１０ａ、１０ｂ、１０ｃ、１０ｄによる帯電、レーザスキャナユニット４ａ、４ｂ、４ｃ、４ｄによる露光、現像器１６ａ、１６ｂ、１６ｃ、１６ｄによる現像、中間転写ベルト７及び１次転写ローラ３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部ＧＫにおいては、中間転写ベルト７、２次転写ローラ８及び対向ローラ１８による２次転写、並びに定着部９による定着が行われる。
【００３０】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる回転軸を中心に矢印の方向に回転可能に配置される。感光体ドラム２ａ、２ｂ、２ｃ、２ｄそれぞれにおける表面には、静電潜像が形成され得る。
【００３１】
帯電部１０ａ、１０ｂ、１０ｃ、１０ｄそれぞれは、感光体ドラム２ａ、２ｂ、２ｃ、２ｄそれぞれの表面に対向して配置される。帯電部１０ａ、１０ｂ、１０ｃ、１０ｄそれぞれは、感光体ドラム２ａ、２ｂ、２ｃ、２ｄそれぞれの表面を一様に負（マイナス極性）又は正（プラス極性）に帯電させる。
【００３２】
レーザスキャナユニット４ａ、４ｂ、４ｃ、４ｄは、露光ユニットとして機能するものであり、感光体ドラム２ａ、２ｂ、２ｃ、２ｄそれぞれの表面から離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００３３】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄそれぞれの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面の露光された部分の電荷が除去される。これにより、感光体ドラム２ａ、２ｂ、２ｃ、２ｄそれぞれの表面に静電潜像が形成される。
【００３４】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄそれぞれの表面に形成された静電潜像に各色のトナーを付着させて、カラーのトナー画像を感光体ドラム２ａ、２ｂ、２ｃ、２ｄそれぞれの表面に形成する。現像器１６ａ、１６ｂ、１６ｃ、１６ｄそれぞれは、イエロー、シアン、マゼンタ、ブラックの４つの色に対応する。現像器１６ａ、１６ｂ、１６ｃ、１６ｄそれぞれは、感光体ドラム２ａ、２ｂ、２ｃ、２ｄの表面に対向配置された現像ローラ、トナー攪拌用の攪拌ローラ等を有して構成される。
【００３５】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３６】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。トナー供給部６ａ、６ｂ、６ｃ、６ｄそれぞれと現像器１６ａ、１６ｂ、１６ｃ、１６ｄそれぞれとは、不図示のトナー供給路により結ばれている。
【００３７】
中間転写ベルト７には、感光体ドラム２ａ、２ｂ、２ｃ、２ｄに形成された各色のトナー画像が順次１次転写される。中間転写ベルト７は、従動ローラ３５、駆動ローラからなる対向ローラ１８、テンションローラ３６等に掛け渡される。テンションローラ３６が中間転写ベルト７を内側から外側に付勢するため、中間転写ベルト７には所定の張力が与えられる。
【００３８】
中間転写ベルト７を挟んで感光体ドラム２ａ、２ｂ、２ｃ、２ｄと反対の側には、１次転写ローラ３７ａ、３７ｂ、３７ｃ、３７ｄそれぞれが対向して配置される。
【００３９】
中間転写ベルト７における所定部分は、１次転写ローラ３７ａ、３７ｂ、３７ｃ、３７ｄそれぞれと、感光体ドラム２ａ、２ｂ、２ｃ、２ｄそれぞれとにより挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラ３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色のトナー画像が中間転写ベルト７に順次１次転写される。これにより、中間転写ベルト７には、フルカラーのトナー画像が形成される。
【００４０】
１次転写ローラ３７ａ、３７ｂ、３７ｃ、３７ｄそれぞれには、不図示の１次転写バイアス印加部により、感光体ドラム２ａ、２ｂ、２ｃ、２ｄそれぞれに形成された各色のトナー画像を中間転写ベルト７に転写させるための１次転写バイアスが印加される。
【００４１】
除電器１２ａ、１２ｂ、１２ｃ、１２ｄそれぞれは、感光体ドラム２ａ、２ｂ、２ｃ、２ｄそれぞれの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００４２】
ドラムクリーニング部１１ａ、１１ｂ、１１ｃ、１１ｄそれぞれは、感光体ドラム２ａ、２ｂ、２ｃ、２ｄそれぞれの表面に対向して配置される。ドラムクリーニング部１１ａ、１１ｂ、１１ｃ、１１ｄそれぞれは、感光体ドラム２ａ、２ｂ、２ｃ、２ｄそれぞれの表面に残存したトナーや付着物を除去すると共に、除去されたトナー等を所定の回収機構へ搬送して、回収させる。
【００４３】
２次転写ローラ８は、中間転写ベルト７に１次転写されたフルカラーのトナー画像を用紙Ｔに２次転写させる。２次転写ローラ８には、不図示の２次転写バイアス印加部により、中間転写ベルト７に形成されたフルカラーのトナー画像を用紙Ｔに転写させるための２次転写バイアスが印加される。
【００４４】
２次転写ローラ８は、中間転写ベルト７に対して当接したり離間したりする。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたフルカラーのトナー画像を用紙Ｔに２次転写させる場合には当接位置に配置され、他の場合には離間位置に配置される。
【００４５】
中間転写ベルト７における２次転写ローラ８とは反対側には、対向ローラ１８が配置される。中間転写ベルト７における所定部分は、２次転写ローラ８と対向ローラ１８とによって挟み込まれる。そして、用紙Ｔは中間転写ベルト７の外面（トナー画像が１次転写された面）に押し当てられる。中間転写ベルト７と２次転写ローラ８との間で２次転写ニップＮ２が形成される。２次転写ニップＮ２において、中間転写ベルト７に１次転写されたフルカラーのトナー画像が用紙Ｔに２次転写される。
【００４６】
定着部９は、用紙Ｔに２次転写されたトナー画像を構成する各色のトナーを溶融及び加圧して、用紙Ｔに定着させる。定着部９は、ヒータにより加熱される加熱回転体９ａと、加熱回転体９ａに圧接される加圧回転体９ｂと、を備える。加熱回転体９ａと加圧回転体９ｂとは、トナー画像が２次転写された用紙Ｔを挟み込んで加圧すると共に、搬送する。加熱回転体９ａと加圧回転体９ｂとの間に挟まれた状態で用紙Ｔが搬送されることによって、用紙Ｔに転写されたトナーは、溶融及び加圧されることで用紙Ｔに定着される。
【００４７】
次に、図３により、給排紙部ＫＨについて説明する。
図３に示すように、本体装置Ｍの下部には、被画像形成材である用紙Ｔを収容する収容部として、２個の給紙カセット５２が上下に配列されて配置される。給紙カセット５２は、本体装置Ｍの筐体であるケース部材ＢＤに、水平方向前方に挿脱可能に、取り付けられる。即ち、給紙カセット５２は、用紙Ｔを収容すると共に、ケース部材ＢＤに挿脱可能に取り付けられる収容部である。
【００４８】
給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図３において左側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３とからなる重送防止機構を備える。
【００４９】
本体装置Ｍの右側面（図３において右側）には、手差し給紙部６４が設けられる。手差し給紙部６４は、給紙カセット５２にセットされる用紙Ｔとは異なる大きさや種類の用紙Ｔを本体装置Ｍに供給することを主目的として設けられる。手差し給紙部６４は、閉状態において本体装置Ｍの右側面の一部を構成する手差しトレイ６５と、給紙コロ６６とを備える。手差しトレイ６５は、その下端が給紙コロ６６の近傍の本体装置Ｍに回動自在（開閉自在）に取り付けられる。開状態の手差しトレイ６５には、用紙Ｔが載置される。給紙コロ６６は、開状態の手差しトレイ６５に載置された用紙Ｔを手差し搬送路Ｌａに給紙する。
【００５０】
本体装置Ｍにおける上方側で、読取部３０１の下方となる位置には、第１排紙部５０ａ及び第２排紙部５０ｂが設けられる。第１排紙部５０ａ及び第２排紙部５０ｂ（本体側排出部）は、用紙Ｔを本体装置Ｍの外部に排紙する。第１排紙部５０ａ及び第２排紙部５０ｂの詳細については後述する。
【００５１】
用紙Ｔを搬送する搬送路Ｌは、カセット給紙部５１から２次転写ニップＮ２までの第１搬送路Ｌ１と、２次転写ニップＮ２から定着部９までの第２搬送路Ｌ２と、定着部９から第１排紙部５０ａまでの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂと、第４搬送路Ｌ４とを備える。第４搬送路Ｌ４は、第３搬送路Ｌ３で搬送されている途中の用紙Ｔを、第２排紙部５０ｂに搬送する搬送路である。
【００５２】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、第４搬送路Ｌ４が第３搬送路Ｌ３から分岐する分岐部である。第１分岐部Ｑ１には、整流部材５８が設けられている。整流部材５８は、定着部９から搬出された用紙Ｔの搬送方向を、第１排紙部５０ａに向かう第３搬送路Ｌ３又は第２排紙部５０ｂに向かう第４搬送路Ｌ４に整流させる（切り換える）。
【００５３】
第１搬送路Ｌ１の途中（詳細には、第２合流部Ｐ２と２次転写ローラ８との間）には、用紙Ｔを検出するためのセンサと、用紙Ｔのスキュー（斜め給紙）補正や画像形成部ＧＫにおけるトナー画像の形成と用紙Ｔの搬送のタイミングを合わせるためのレジストローラ対８０とが配置される。センサは、用紙Ｔの搬送方向におけるレジストローラ対８０の直前（搬送方向における上流側）に配置される。レジストローラ対８０は、センサからの検出信号情報に基づいて上述の補正やタイミング調整をして用紙Ｔを搬送する一対のローラである。
【００５４】
戻し搬送路Ｌｂは、用紙Ｔに両面印刷を行う際に、既に印刷されている面とは反対面（未印刷面）を中間転写ベルト７に対向させるために設けられる搬送路である。戻し搬送路Ｌｂによれば、第１分岐部Ｑ１から第１排紙部５０ａ又は第２排紙部５０ｂ側に搬送された用紙Ｔを表裏反転させて第１搬送路Ｌ１に戻して、２次転写ローラ８の上流側に配置されたレジストローラ対８０の上流側に搬送させることができる。戻し搬送路Ｌｂにより表裏反転された用紙Ｔには、２次転写ニップＮ２において未印刷面に対して所定のトナー画像が転写される。
【００５５】
第３搬送路Ｌ３における端部には、第１排紙部５０ａが形成される。第１排紙部５０ａは、後処理を必要としない用紙Ｔを、本体装置Ｍの外部に排紙する。図３に示すように、この第１排紙部５０ａは、本体装置Ｍにおける上方側で読取部３０１の下方となる位置に配置される。また、第１排紙部５０ａは、本体装置Ｍの左側面側（図３において左側）に向けて開口し、且つ、本体装置Ｍの右側面側に寄った位置に配置されている。
【００５６】
図２に示すように、第１排紙部５０ａにおける開口側には、排紙集積部Ｍ１が形成される。排紙集積部Ｍ１は、本体装置Ｍにおける読取部３０１の下方に形成される。この排紙集積部Ｍ１は、本体装置Ｍの前面に開口する空間である。排紙集積部Ｍ１には、所定のトナー画像が形成され第１排紙部５０ａから排紙された用紙Ｔが積層して集積される。排紙集積部Ｍ１に集積された用紙Ｔは、本体装置Ｍの前面開口から取り出すことができる。
また、本実施形態の場合、図２に示したように、排紙集積部Ｍ１としての空間の下側の領域は、中継ユニット５００を挿脱可能に収容するユニット装着空間４２０とを兼ねる。
【００５７】
図３に示すように、第４搬送路Ｌ４における端部（搬送方向下流側）には、第２排紙部５０ｂが形成される。第２排紙部５０ｂは、第１排紙部５０ａの下方側において、排紙集積部Ｍ１側に向いて開口して形成される。第２排紙部５０ｂは、第４搬送路Ｌ４に搬送される用紙Ｔを、後述の中継ユニット５００を介して後処理装置６００に送り出す後処理用排出部（又は中継ユニット用排出部）である。
第２排紙部５０ｂの開口側には、中継ユニット５００が連続して配置（本体装置Ｍに連結）される。そして、この中継ユニット５００には、後処理装置６００が連続して配置（本体装置Ｍに連結）される。
後処理装置６００は、本体装置Ｍの第２排紙部５０ｂから排出され中継ユニット５００を介して搬送された用紙の後処理（ステープル、パンチ、ソート等）を行うものである。
なお、各搬送路の所定位置には用紙検出用のセンサが配置される。
【００５８】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図３に示すように、本体装置Ｍの右側面側（図３において右側）には、主搬送路Ｌ１〜Ｌ３及び戻り搬送路Ｌｂが主に垂直方向に延びるように並列している。本体装置Ｍの右側面側（図３において右側）には、本体装置Ｍの側面の一部を形成するように、カバー体４０が設けられている。カバー体４０は、その下端部において、支点軸４３を介して本体装置Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図３に示す位置）と開位置（図示せず）との間を回動自在に構成されている。
【００５９】
カバー体４０は、支点軸４３によって本体装置Ｍに回動自在に連結された第１のカバー部４１と、同じ支点軸４３によって本体装置Ｍに回動自在に連結された第２のカバー部４２とから構成されている。第１のカバー部４１は、第２のカバー部４２よりも本体装置Ｍの外側（側面側）に位置する。なお、図３において、左下がりの破線でハッチングされた部分が第１のカバー部４１であり、右下がりの破線でハッチングされた部分が第２のカバー部４２である。
【００６０】
カバー体４０が閉位置に位置する状態において、第１のカバー部４１は、その外面側が本体装置Ｍの外面（側面）の一部を形成している。
また、カバー体４０が閉位置に位置する状態において、第２のカバー部４２は、その内面側（本体装置Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００６１】
本実施形態のコピー機１は、このような構成のカバー体４０を備えることにより、主搬送路Ｌ１〜Ｌ３で紙詰まり（ＪＡＭ）が発生した際には、カバー体４０を図３に示す閉位置から、開位置（図示せず）に回動して主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を本体装置Ｍ側（図３において右側）に回動させて戻り搬送路Ｌｂを開放することにより、戻り搬送路Ｌｂに詰まった用紙を処理することができる。
【００６２】
以上に説明したコピー機１は、被画像形成材である用紙Ｔに画像を形成する本体装置Ｍ（コピー機本体１Ａ）に、オプションユニットである中継ユニット５００と、後処理装置６００とが取り付けられたものである。
また、本体装置Ｍは、前述したように、外形を構成するケース部材ＢＤと、給紙カセット５２と、主電源部４００と、画像形成部ＧＫと、第２排紙部５０ｂ（本体側排出部）と、後処理用搬送部Ｌｘと、を有する。
【００６３】
給紙カセット５２は、用紙Ｔを収容すると共に、本体装置Ｍの筐体であるケース部材ＢＤに挿脱可能に取り付けられる収容部である。
【００６４】
主電源部４００は、本体装置Ｍ（コピー機本体１Ａ）内に標準装備される各種の駆動部や画像読取装置３００の駆動部に、これらの駆動部の動作に必要な第１電圧の電力を供給可能な電源部である。
また、図２に示すように、主電源部４００は、後述の変圧部６２０に対して第１電圧の電力を供給可能な第１電圧出力コネクタ４１０を有している。つまり、主電源部４００は、本体装置Ｍ（コピー機本体１Ａ）に含まれる画像読取装置３００を構成する駆動部等に第１電圧の電力を出力すると共に、第１電圧出力コネクタ４１０を介して後処理装置６００の変圧部６２０に対して第１電圧の電力を供給可能に構成される。
【００６５】
画像形成部ＧＫは、主電源部４００から第１電圧の電力の供給を受けて駆動し、用紙Ｔに画像を形成する。
【００６６】
第２排紙部５０ｂは、画像形成部ＧＫにより画像が形成された用紙Ｔを後処理装置６００に搬送するために本体装置Ｍ（ケース部材ＢＤ）の外部に排出させる本体側排出部である。
【００６７】
後処理用搬送部Ｌｘは、給紙カセット５２に収容された用紙Ｔを画像形成部ＧＫに搬送すると共に、画像形成部ＧＫにより画像が形成された用紙Ｔを前記第２排紙部５０ｂに搬送する。後処理用搬送部Ｌｘは、具体的には、図３において、給紙カセット５２から第１搬送路Ｌ１、第２搬送路Ｌ２、第３搬送路Ｌ３（一部）、第４搬送路Ｌ４を経由して第２排紙部５０ｂに至る搬送路である。
【００６８】
次に、図４〜図６により、中継ユニット５００、及び後処理装置６００の構成について、詳述する。
図４は、本体装置Ｍに挿脱可能に装着される中継ユニット５００の左側面側上方から視た斜視図である。図５は、本体装置Ｍに装着される後処理装置６００を構成する枠体６１０と該枠体６１０に固定された変圧部６２０の斜視図である。図６は、本体装置Ｍに装着される後処理装置６００を構成する後処理ユニット６３０の右側面側下方から視た斜視図である。
【００６９】
まず、中継ユニット５００について説明する。
中継ユニット５００は、高さ寸法が小さい薄型の直方体状である。中継ユニット５００は、本体装置Ｍの前面側から、ユニット装着空間４２０に挿脱可能に装着される（図２参照）。ここで、図２に示した矢印Ｙ１は、ユニット装着空間４２０に対する中継ユニット５００の挿脱方向である。
中継ユニット５００は、ユニット装着空間４２０に装着された状態では、右側面が第２排紙部５０ｂに対向して配置されると共に、左側面が本体装置Ｍの左側面上の開口４３０（図２参照）側に配置される。また、中継ユニット５００がユニット装着空間４２０に装着された状態では、中継ユニット５００の上端面５０１は、本体装置Ｍの第１排紙部５０ａから排出された用紙Ｔを集積する用紙集積面として機能する。
【００７０】
図２及び図４に示すように、中継ユニット５００は、中継ユニット側搬入部５１１と、中継ユニット側搬出部５２１と、中継ユニット側搬送部５３１と、中継ユニット側コネクタ５４１と、を備える。
【００７１】
図２及び図３に示すように、中継ユニット側搬入部５１１は、第２排紙部５０ｂに対向した配置となるように、中継ユニット５００の右側面に配置されている。中継ユニット側搬入部５１１は、本体装置Ｍの第２排紙部５０ｂから排出される用紙Ｔを受け入れる（搬入させる）部分である。
【００７２】
図４に示すように、中継ユニット側搬出部５２１は、中継ユニット５００の左側面５０２に配置されている。
中継ユニット側搬出部５２１は、中継ユニット側搬入部５１１から中継ユニット５００の内部に搬入された用紙Ｔを、該中継ユニット５００の外部に搬出させる部分である。ここで、中継ユニット側搬出部５２１は、後述する後処理ユニット側搬入部６３１に対向して配置される。
【００７３】
中継ユニット５００内には、中継ユニット側搬入部５１１に搬入された用紙Ｔを中継ユニット側搬出部５２１に導く内部搬送路５５１（図３参照）が形成されている。
【００７４】
中継ユニット側搬送部５３１は、中継ユニット５００の内部に装備された用紙搬送手段である（図３参照）。中継ユニット側搬送部５３１は、中継ユニット側搬入部５１１から搬入された用紙Ｔを内部搬送路５５１に沿って中継ユニット側搬出部５２１に搬送する。また、中継ユニット側搬送部５３１は、本体装置Ｍの主電源部４００が出力する第１電圧とは異なる第２電圧の電力の供給を受けて駆動される。
【００７５】
図４に示すように、中継ユニット側コネクタ５４１は、中継ユニット５００の左側面５０２に形成される。中継ユニット側コネクタ５４１は、中継ユニット側搬出部５２１の近傍に、水平方向に伸びるように形成されている。中継ユニット側コネクタ５４１は、接続部が水平方向に向いて配置されている。本実施形態の場合、中継ユニット側コネクタ５４１の配置は、中継ユニット側搬出部５２１の垂直方向下側となる位置に設定されている。
中継ユニット側コネクタ５４１は、中継ユニット側搬送部５３１の駆動に必要となる第２電圧の電力の供給を受けるコネクタである。
【００７６】
次に、後処理装置６００について説明する。
後処理装置６００は、本体装置Ｍの左側面４４１に着脱可能に取り付けられる（図１及び図３参照）。
後処理装置６００は、枠体６１０と、変圧部６２０と、後処理ユニット６３０と、第１コネクタ６４０と、第２コネクタ６５０と、を備える（図１及び図２参照）。
【００７７】
枠体６１０は、本体装置Ｍの左側面４４１に連結される（図１及び図２参照）。枠体６１０は、後処理装置６００を本体装置Ｍに取り付けるための部材である。
図５に示すように、枠体６１０は、本体装置Ｍの左側面４４１（図２参照）に沿って延びた垂直壁部６１１と、垂直壁部６１１の垂直方向における中間部から水平方向に延出した水平支持台部６１２、６１２とを、備えている。
【００７８】
図６に示すように、垂直壁部６１１には、本体装置Ｍの左側面４４１への連結手段として、係止用フック６１３と、ねじ止め用の貫通穴６１４（本実施形態においては４つ）とが装備されている。
係止用フック６１３は、本体装置Ｍに向けて水平移動されて、本体装置Ｍの左側面４４１に形成された不図示の係止穴に挿入される。これにより、枠体６１０は、垂直壁部６１１が左側面４４１に対向した状態（面接触した状態）で、本体装置Ｍに係止（仮止め）される。この係止（仮止め）状態で、貫通穴６１４に所定のネジを挿入すると共に回転させることで、垂直壁部６１１（枠体６１０）は、左側面４４１（本体装置Ｍ）に連結固定される。
ここで、本実施形態の枠体６１０は、本体装置Ｍに取り付けられる場合には、水平方向に移動される。言い換えると、枠体６１０（後処理装置６００）における取り付け方向は、水平方向である。
【００７９】
また、図５に示すように、枠体６１０には、後処理ユニット６３０を連結する手段として、ユニット係止フック６１６と、連結穴６１７と、が設けられている。
ユニット係止フック６１６は、垂直壁部６１１に設けられている。ユニット係止フック６１６は、開口部が垂直方向上側を向く係止溝６１６ａを有する。ユニット係止フック６１６は、上方から連結穴６１７の上に載置される後処理ユニット６３０の背面部に係合して、後処理ユニット６３０の水平方向への移動を規制する。
連結穴６１７は、後処理ユニット６３０が載置される水平支持台部６１２の上部の載置板部６１２ａに貫通形成されている。連結穴６１７は、後処理ユニット６３０を枠体６１０にねじ止め固定するためのねじ止め用の穴である。
【００８０】
図５に示すように、変圧部６２０は、枠体６１０の下部側（垂直方向下側）に取り付けられる。変圧部６２０は、枠体６１０を本体装置Ｍに取り付ける前に枠体６１０に取り付けられる。つまり、変圧部６２０は、予め枠体６１０に取り付けられて、枠体６１０と一体化した状態で、本体装置Ｍに取り付けられる。
この変圧部６２０には、主電源部４００の第１電圧出力コネクタ４１０に接続する入力コネクタ６２１が装備されている。変圧部６２０は、第１電圧出力コネクタ４１０を介して主電源部４００から第１電圧の電力の供給を受ける（図２参照）。
変圧部６２０は、主電源部４００から第１電圧の電力の供給を受けると共に、供給された電力を、中継ユニット５００や後処理ユニット６３０の駆動に必要な電圧（前記第２電圧又は前記第１電圧とは異なる第３電圧）に変圧処理して（後述する第１コネクタ６４０及び／又は第２コネクタ６５０から）出力する。
【００８１】
後処理ユニット６３０は、枠体６１０に装脱可能に取り付けられる。後処理ユニット６３０は、枠体６１０を介して、後処理ユニット６３０に取り付けられる（図１及び図２参照）。
【００８２】
図２及び図６に示すように、後処理ユニット６３０は、後処理ユニット側搬入部６３１と、後処理ユニット側排出部６３２と、後処理部６３３と、後処理ユニット側コネクタ６３４と、を備える。
【００８３】
後処理ユニット側搬入部６３１は、中継ユニット５００の中継ユニット側搬出部５２１から搬出される用紙Ｔが搬入される部分（開口部）である。後処理ユニット側搬入部６３１は、中継ユニット側搬出部５２１に対向して配置される。後処理ユニット側搬入部６３１は、中継ユニット側搬出部５２１に連結するように対向して配置される。
【００８４】
後処理ユニット側排出部６３２は、前記後処理ユニット側搬入部６３１から後処理ユニット６３０内に搬入された用紙Ｔを、該後処理ユニット６３０の外部に排出させる部分（開口部）である。後処理ユニット側排出部６３２は、後処理部６３３により所定の処理がなされた用紙Ｔ１を後処理ユニット６３０の外部に排出可能に構成される。
【００８５】
図２及び図６に示すように、後処理ユニット６３０は、後処理ユニット側排出部６３２に連続して配置される排紙トレイ６６０を有する。排紙トレイ６６０は、後処理ユニット側排出部６３２から排出される用紙Ｔを集積させる排紙トレイである。
【００８６】
後処理部６３３は、後処理ユニット６３０内に装備されていて、後処理ユニット側搬入部６３１に搬入された用紙Ｔに対して、ステープルやパンチ等の所定の後処理を行う。
また、後処理部６３３は、後処理された用紙Ｔを後処理ユニット側排出部６３２に搬送する機能も備えている。後処理部６３３は、前記第２電圧又は、前記第１電圧とは異なる第３電圧の電力の供給を受けて駆動される。後処理部６３３は、中継ユニット５００に供給される第２電圧か、又は、第１電圧とも第２電圧とも異なる第３電圧の電力の供給を受けて駆動される。ここで、後処理部６３３が第２電圧の電力の供給を受けて駆動される場合、変圧部６２０は、一の変圧処理部を有すればよい。また、後処理部６３３が第３電圧の電力の供給を受けて駆動される場合、変圧部６２０は、２つ（複数）の電圧処理部を有する。
【００８７】
図６に示すように、後処理ユニット側コネクタ６３４は、後処理ユニット６３０の下面に、垂直方向下方に突出して設けられている。後処理ユニット側コネクタ６３４の接続部は、垂直方向下側を向いて配置されている。
後処理ユニット側コネクタ６３４は、前記第２電圧又は前記第３電圧の電力の供給を受けるコネクタである。
後処理ユニット側コネクタ６３４は、後処理ユニット６３０を枠体６１０に取り付けた際に、変圧部６２０に装備された第２コネクタ６５０と嵌合（接続）する。これにより、後処理ユニット６３０は、第２コネクタ６５０に接続された後処理ユニット側コネクタ６３４を介して、変圧部６２０から前記第２電圧又は前記第３電圧の電力の供給を受ける。
【００８８】
図５に示すように、第１コネクタ６４０は、枠体６１０における本体装置Ｍ側の面に、嵌合方向が水平方向に伸びるように配置される。第１コネクタ６４０の接続部は、水平方向（図２においては右側）を向いて配置されている。
上記の枠体６１０における本体装置Ｍ側の面とは、具体的には、後処理装置６００の一部を構成する枠体６１０の垂直壁部６１１における本体装置Ｍ側の面である。
また、第１コネクタ６４０は、本体装置Ｍ側に向かって水平方向に突出するように、垂直壁部６１１に配置されている。第１コネクタ６４０は、枠体６１０が本体装置Ｍの左側面４４１に取り付けられた際、中継ユニット５００に装備されている中継ユニット側コネクタ５４１と嵌合（接続）される。ここで、枠体６１０は、本体装置Ｍに取り付けられる際、水平方向に移動される。
つまり、第１コネクタ６４０は、枠体６１０を水平方向に移動させて本体装置Ｍに取り付けることで、第１コネクタ６４０と同様に水平方向に伸びるように配置され接続部を第１コネクタ６４０側に向けて配置されている中継ユニット側コネクタ６４１に嵌合（接続）される。
これにより、第１コネクタ６４０は、変圧部６２０と電気的に接続されていて、変圧部６２０で変圧処理された前記第２電圧の電力を、中継ユニット側コネクタ５４１を介して、中継ユニット５００の中継ユニット側搬送部５３１に供給する。
【００８９】
図５に示すように、第２コネクタ６５０は、枠体６１０に固定される変圧部６２０の上面に、垂直方向上方に向かって突出して設けられている。従って、第２コネクタ６５０の接続部は垂直方向を向いて配置される。この第２コネクタ６５０は、後処理ユニット６３０を枠体６１０の水平支持台部６１２に取り付ける際に、後処理ユニット６３０の下面に装備されている後処理ユニット側コネクタ６３４と連結（嵌合接続）される。また、第２コネクタ６５０は、変圧部６２０に電気的に接続されていて、変圧部６２０で変圧された前記第２電圧又は、前記第１電圧とは異なる第３電圧の電力を、後処理ユニット側コネクタ６３４を介して、後処理装置６００内の駆動部に供給する。
【００９０】
後処理ユニット６３０に装備された後処理ユニット側コネクタ６３４と、該後処理ユニット側コネクタ６３４が嵌合接続される変圧部６２０上の第２コネクタ６５０とは、いずれも、接続部の向きが垂直方向に向いている。従って、後処理ユニット６３０は、前記枠体６１０に取り付けられる場合には、垂直方向に移動される。
【００９１】
次に、図７Ａ〜図７Ｄにより、中継ユニット５００、枠体６１０及び後処理ユニット６３０（後処理装置６００）の本体装置Ｍへの取り付け手順について説明する。
【００９２】
図７Ａは、本体装置Ｍに装着する前の中継ユニット５００及び枠体６１０及び後処理ユニット６３０の本体装置Ｍに対する取り付け向きを示す斜視図である。図７Ｂは、本体装置Ｍに中継ユニット５００が装着された状態の斜視図である。図７Ｃは、本体装置Ｍに後処理装置６００の枠体６１０が固定された状態の斜視図である。図７Ｄは、本体装置Ｍに固定されている枠体６１０に後処理ユニット６３０が取り付けられた状態の斜視図である。
【００９３】
まず、ユーザは、図７Ａ及び図７Ｂに示すように、中継ユニット５００を矢印Ｙ方向に移動させて、該中継ユニット５００を本体装置Ｍに取り付ける。つまり、ユーザにより、本体装置Ｍの前面側から、排紙集積部Ｍ１内のユニット装着空間４２０内に水平方向に挿入されることで、中継ユニット５００は、本体装置Ｍに取り付けられる。
中継ユニット５００は、本体装置Ｍに取り付けられた状態において、中継ユニット５００の左側面５０２に配置されている中継ユニット側搬出部５２１と中継ユニット側コネクタ５４１（図４参照）とが、本体装置Ｍの左側面４４１側に開口４３０を介して露出して配置される。
【００９４】
次いで、ユーザは、中継ユニット５００の本体装置Ｍへの取り付けの後、変圧部６２０と第１コネクタ６４０と第２コネクタ６５０とが組み付けられている枠体６１０を、本体装置Ｍの左側面４４１に取り付ける。
【００９５】
図７Ｂ及び図７Ｃに示すように、ユーザは、枠体６１０を垂直壁部６１１の第１コネクタ６４０が突出している面が本体装置Ｍの左側面４４１と平行に対向するよう位置させる。続けて、ユーザは、枠体６１０をその状態のまま矢印Ｘ３方向に移動させる。そして、ユーザは、第１コネクタ６４０の接続部の位置が中継ユニット５００の中継ユニット側コネクタ５４１の位置と整合するように更に水平方向に移動させて、枠体６１０を本体装置Ｍの左側面４４１に取り付ける。ユーザは、本体装置Ｍの左側面４４１に形成された不図示の係止穴に係止用フック６１３を挿入させると共に、貫通穴６１４に所定のネジを挿入すると共に回転させることで、枠体６１０を本体装置Ｍに連結固定させる。
【００９６】
ここで、枠体６１０を水平方向に移動させることにより本体装置Ｍの左側面４４１に取り付けるが、枠体６１０の移動方向と、第１コネクタ６４０及び中継ユニット側コネクタ５４１の接続方向とが、いずれも水平方向で一致しているため、枠体６１０の取り付け動作をすることで、第１コネクタ６４０と中継ユニット側コネクタ５４１との嵌合接続を行うことができる。
【００９７】
続けて、ユーザは、枠体６１０の本体装置Ｍへの取り付けが完了した後、後処理ユニット６３０を枠体６１０に取り付ける。
図７Ｃ及び図７Ｄに示すように、ユーザは、後処理ユニット６３０を枠体６１０よりも高い位置に位置させる。
そして、ユーザは、後処理ユニット６３０を矢印Ｘ４方向（水平方向）に移動させて後処理ユニット６３０の背面を垂直壁部６１１に突き当てた後、矢印Ｚ４に示す垂直方向に移動させて後処理ユニット６３０の下面を枠体６１０の水平支持台部６１２（図５参照）に載置させる。
更に、ユーザは、連結穴６１７を利用して後処理ユニット６３０を枠体６１０の水平支持台部６１２に固定する。
これにより、後処理ユニット６３０の枠体６１０への取り付けは完了する。
【００９８】
後処理ユニット６３０を垂直方向の移動により枠体６１０の水平支持台部６１２に載せる作業において、後処理ユニット６３０の移動方向と、第２コネクタ６５０及び後処理ユニット側コネクタ６３４の接続方向とが、いずれも垂直方向で一致しているため、後処理ユニット６３０の取り付け動作をすることで、第２コネクタ６５０と後処理ユニット側コネクタ６３４との嵌合接続を行うことができる。
【００９９】
図７Ｄに示したように、中継ユニット５００、枠体６１０、後処理ユニット６３０が適正に本体装置Ｍに取り付けられると、枠体６１０に装備されている変圧部６２０は稼働可能になる。その結果、変圧部６２０は、本体装置Ｍの主電源部４００から供給される第１電圧の電力を第２電圧の電力に変圧して、中継ユニット５００に供給することが可能になる。また、変圧部６２０は、本体装置Ｍの主電源部４００から供給される第１電圧の電力を第１電圧とは異なる第３電圧の電力に変圧して、後処理ユニット６３０に供給することが可能になる。
【０１００】
図１に示すように、中継ユニット５００及び後処理装置６００が適正に取り付けられたコピー機１では、画像形成部ＧＫにおける画像形成が完了した用紙Ｔで、後処理が必要な用紙Ｔは、図３に示す定着部９を通過して第３搬送路Ｌ３に送り出された後、第１分岐部Ｑ１から第４搬送路Ｌ４に送られる。図３の第４搬送路Ｌ４に送られた用紙Ｔは、第２排紙部５０ｂから中継ユニット５００を経由して、後処理装置６００に送られる。そして、後処理装置６００に送られた用紙Ｔは、後処理ユニット６３０内で所定の後処理が実施された後、排紙トレイ６６０に排紙される。
【０１０１】
ここで、本実施形態のコピー機１は、後処理を必要としない場合、画像形成部ＧＫにおける画像形成が完了した用紙Ｔの排紙先（搬送ルート）を次の２通りに設定できる。
コピー機１は、用紙Ｔを、第４搬送路Ｌ４から中継ユニット５００内と通過させて、後処理装置６００に送るが、後処理装置６００は後処理をせずに排紙トレイ６６０に排紙するように設定可能である。
また、コピー機１は、用紙Ｔを、第４搬送路Ｌ４には送らず、第３搬送路Ｌ３の端部の第１排紙部５０ａから排紙集積部Ｍ１に排紙するように設定可能である。第１排紙部５０ａから排紙集積部Ｍ１に排紙された用紙Ｔは、中継ユニット５００の上端面５０１に集積し、本体装置Ｍの前面側から取り出される。
【０１０２】
本実施形態によれば、例えば、次の効果が奏される。
本実施形態のコピー機１は、用紙Ｔに画像を形成する本体装置Ｍであって、外形を構成するケース部材ＢＤと、用紙Ｔを収容すると共に、ケース部材ＢＤに挿脱可能に取り付けられる給紙カセット５２と、第１電圧の電力を供給可能な主電源部４００と、主電源部４００から第１電圧の電力の供給を受けて駆動し、用紙Ｔに画像を形成する画像形成部ＧＫと、画像形成部ＧＫにより画像が形成された用紙Ｔをケース部材ＢＤの外部に排出させる第２排紙部５０ｂと、給紙カセット５２に収容された用紙Ｔを画像形成部ＧＫに搬送すると共に、画像形成部ＧＫにより画像が形成された用紙Ｔを第２排紙部５０ｂに搬送する後処理用搬送部Ｌｘと、を有する本体装置Ｍと、本体装置Ｍに取り付けられる中継ユニット５００であって、第２排紙部５０ｂに対向して配置される中継ユニット側搬入部５１１と、中継ユニット側搬入部５１１から搬入された用紙Ｔを該中継ユニット５００の外部に搬出させる中継ユニット側搬出部５２１と、第１電圧とは異なる第２電圧の電力の供給を受けて駆動し、中継ユニット側搬入部５１１から搬入された用紙Ｔを中継ユニット側搬出部５２１に搬送する中継ユニット側搬送部５３１と、第２電圧の電力の供給を受ける中継ユニット側コネクタ５４１と、を有する中継ユニット５００と、本体装置Ｍに取り付けられる後処理装置６００であって、本体装置Ｍに連結される枠体６１０と、枠体６１０に取り付けられ、主電源部４００から第１電圧の電力の供給を受けると共に、供給された電力を変圧処理して出力する変圧部６２０と、枠体６１０に装脱可能に取り付けられる後処理ユニット６３０であって、中継ユニット側搬出部５２１に対向して配置される後処理ユニット側搬入部６３１と、後処理ユニット側搬入部６３１から搬入された用紙Ｔを該後処理ユニット６３０の外部に排出させる後処理ユニット側排出部６３２と、第２電圧又は第１電圧とは異なる第３電圧の電力の供給を受けて駆動し中継ユニット側搬入部５１１から搬入された用紙Ｔに対して所定の後処理を行うと共に、該後処理された用紙Ｔを後処理ユニット側排出部６３２に搬送する後処理部６３３と、第２電圧又は第３電圧の電力の供給を受ける後処理ユニット側コネクタ６３４と、を有する後処理ユニット６３０と、変圧部６２０と電気的に接続されると共に、中継ユニット側コネクタ５４１と連結される第１コネクタ６４０と、変圧部６２０に電気的に接続されると共に、後処理ユニット側コネクタ６３４と連結される第２コネクタ６５０と、を有する後処理装置６００と、を備える。
【０１０３】
本実施形態のコピー機１は、本体装置Ｍの他に、オプションで装備される中継ユニット５００と後処理装置６００とを具備した構成で、オプションで装備される中継ユニット５００や後処理装置６００の駆動に必要となる所定電圧の電力を出力する変圧部６２０は、オプション機器側に装備される。
そのため、本体装置Ｍには、オプション機器用の変圧部を装備する必要がなく、本体装置Ｍのコスト低減を図ることができる。
【０１０４】
また、本実施形態のコピー機１の場合、中継ユニット側コネクタ５４１は、中継ユニット側搬出部５２１の近傍に、水平方向に伸びるように配置され、第１コネクタ６４０は、枠体６１０における本体装置Ｍ側の面に、水平方向に伸びるように配置される。
そのため、第１コネクタ６４０を有する後処理装置６００の本体装置Ｍへの取り付けを、後処理装置６００の水平移動により可能にすると、後処理装置６００の取り付け時の移動方向と、中継ユニット側コネクタ５４１及び第１コネクタ６４０の接続部の向きとが、いずれも水平方向で一致するため、後処理装置６００の取り付け操作自体で、第１コネクタ６４０と中継ユニット側コネクタ５４１との嵌合接続を完了させることができる。つまり、コピー機１は、電機接続の手間を軽減可能に構成される。
【０１０５】
また、本実施形態のコピー機１の場合、枠体６１０は、本体装置Ｍに取り付ける場合には、水平方向に移動され、中継ユニット側コネクタ５４１の接続部は水平方向を向いて配置され、第１コネクタ６４０の接続部は水平方向を向いて配置され、後処理ユニット６３０は、枠体６１０に取り付けられる場合には、垂直方向に移動され、後処理ユニット側コネクタ６３４の接続部は垂直方向を向いて配置され、第２コネクタ６５０の接続部は垂直方向を向いて配置される。
そのため、枠体６１０を水平移動させて本体装置Ｍに取り付けると、該水平移動によって枠体６１０に装備されている第１コネクタ６４０を、本体装置Ｍ側で待ち受けている中継ユニット側コネクタ５４１に接続することができる。つまり、コピー機１は、中継ユニット５００と枠体６１０側の変圧部６２０との電機接続作業の手間を軽減可能に構成される。
【０１０６】
また、本実施形態のコピー機１の場合、後処理ユニット６３０を垂直移動させて枠体６１０に取り付けると、その時の垂直移動によって後処理ユニット６３０に装備されている後処理ユニット側コネクタ６３４を、枠体６１０側で待ち受けている第２コネクタ６５０に接続することができる。つまり、コピー機１は、後処理ユニット６３０と枠体６１０側の変圧部６２０との電機接続作業の手間を軽減可能に構成される。
【０１０７】
更に、本実施形態のコピー機１の場合、本体装置Ｍに対する枠体６１０の取り付け方向と、枠体６１０に対する後処理ユニット６３０の取付方向とは、互いに直交しているため、後処理ユニット６３０の取り付け時に作用する荷重が、枠体６１０と本体装置Ｍとの取り付けに与える影響が小さく、各オプションの取り付け性を向上させることができる。
【０１０８】
また、本実施形態の後処理装置６００は、用紙Ｔに画像を形成する本体装置Ｍであって、外形を構成するケース部材ＢＤと、用紙Ｔを収容すると共にケース部材ＢＤに挿脱可能に取り付けられる給紙カセット５２と、第１電圧の電力を供給可能な主電源部４００と、主電源部４００から第１電圧の電力の供給を受けて駆動し用紙Ｔに画像を形成する画像形成部ＧＫと、画像形成部ＧＫにより画像が形成された用紙Ｔをケース部材ＢＤの外部に排出させる第２排紙部５０ｂと、給紙カセット５２に収容された用紙Ｔを画像形成部ＧＫに搬送すると共に画像形成部ＧＫにより画像が形成された用紙Ｔを第２排紙部５０ｂに搬送する後処理用搬送部Ｌｘと、を有する本体装置Ｍと、本体装置Ｍに取り付けられる中継ユニット５００であって、第２排紙部５０ｂに対向して配置される中継ユニット側搬入部５１１と、中継ユニット側搬入部５１１から搬入された用紙Ｔを該中継ユニット５００の外部に搬出させる中継ユニット側搬出部５２１と、第１電圧とは異なる第２電圧の電力の供給を受けて駆動し中継ユニット側搬入部５１１から搬入された用紙Ｔを中継ユニット側搬出部５２１に搬送する中継ユニット側搬送部５３１と、第２電圧の電力の供給を受ける中継ユニット側コネクタ５４１と、を有する中継ユニット５００と、本体装置Ｍに取り付けられる後処理装置６００と、を有する画像形成装置における後処理装置６００であって、本体装置Ｍに連結される枠体６１０と、枠体６１０に取り付けられ、主電源部４００から第１電圧の電力の供給を受けると共に、供給された電力を変圧処理して出力する変圧部６２０と、枠体６１０に装脱可能に取り付けられる後処理ユニット６３０であって、中継ユニット側搬出部５２１に対向して配置される後処理ユニット側搬入部６３１と、後処理ユニット側搬入部６３１から搬入された用紙Ｔを該後処理ユニット６３０の外部に排出させる後処理ユニット側排出部６３２と、第２電圧又は第１電圧とは異なる第３電圧の電力の供給を受けて駆動し中継ユニット側搬入部５１１から搬入された用紙Ｔに対して所定の後処理を行うと共に、該後処理された用紙Ｔを後処理ユニット側排出部６３２に搬送する後処理部６３３と、第２電圧又は第３電圧の電力の供給を受ける後処理ユニット側コネクタ６３４と、を有する後処理ユニット６３０と、変圧部６２０と電気的に接続されると共に、中継ユニット側コネクタ５４１と連結される第１コネクタ６４０と、変圧部６２０に電気的に接続されると共に、後処理ユニット側コネクタ６３４と連結される第２コネクタ６５０と、を備える。
【０１０９】
本実施形態の後処理装置６００は、オプションで装備される中継ユニット５００や後処理装置６００の駆動に必要となる所定電圧の電力を出力する変圧部６２０を有する。
そのため、本体装置Ｍには、オプション機器用の変圧部を装備する必要がなく、本実施形態の後処理装置６００は、本体装置Ｍのコスト低減に寄与することが可能である。
【０１１０】
なお、本発明の画像形成装置の種類は、特に限定がなく、コピー機、プリンタ、ファクシミリ、又はこれらの複合機等であってもよい。
また、シート状の被画像形成材は、用紙に制限されず、例えば、フィルムシートであってもよい。
【０１１１】
また、上記実施形態では、後処理ユニット６３０の駆動電圧は第３電圧で、中継ユニット５００の駆動電圧は第２電圧としており、駆動電圧が互いに異なるケースを含んで説明している。ここで、当然に、後処理ユニット６３０及び中継ユニット５００がともに第２電圧で駆動されてもよい。
【符号の説明】
【０１１２】
１……コピー機（画像形成装置）、１Ａ……コピー機本体、５０ｂ……第２排紙部（本体側排出部）、５２……給紙カセット（収容部）、４００……主電源部、４１０……第１電圧出力コネクタ、５００……中継ユニット、５０１……上端面、５１１……中継ユニット側搬入部、５２１……中継ユニット側搬出部、５４１……中継ユニット側コネクタ、６００……後処理装置、６１０……枠体、６１１……垂直壁部、６１２……水平支持台部、６２０……変圧部、６２１……入力コネクタ、６３０……後処理ユニット、６３１……後処理ユニット側搬入部、６３２……後処理ユニット側排出部、６３３……後処理部、６３４……後処理ユニット側コネクタ、６４０……第１コネクタ、６５０……第２コネクタ、ＧＫ……画像形成部、Ｌ４……第４搬送路、Ｌｘ……後処理用搬送部、Ｔ……用紙（被画像形成材）
【図１】
0005343064.tif 000002
【図２】
0005343064.tif 000003
【図３】
0005343064.tif 000004
【図４】
0005343064.tif 000005
【図５】
0005343064.tif 000006
【図６】
0005343064.tif 000007
【図７Ａ】
0005343064.tif 000008
【図７Ｂ】
0005343064.tif 000009
【図７Ｃ】
0005343064.tif 000010
【図７Ｄ】
0005343064.tif 000011